(57)【要約】【課題】ホストコンピューターを利用することなく、特定の者だけがプロジェクター内に保存された投写データにアクセスすることができ、且つ、ホストコンピューターを利用することなくその投写データに追加、変更を行なうことが可能なプロジェクター及びプロジェクターの制御方法を提供する。【解決手段】認証情報と関連させて投写データを保存する投写データ保存部５５と、認証情報に基づいてユーザー認証を行なう認証部５１と、認証部５１による認証が成功すると、投写データ保存部５５に保存されている投写データを投写する投写ユニット１１と、を備える。【選択図】図３
2011107860.tif 000002
【特許請求の範囲】
【請求項１】
認証情報と関連させて投写データを保存する投写データ保存部と、
前記認証情報に基づいてユーザー認証を行なう認証部と、
前記認証部による認証が成功すると、前記投写データ保存部に保存されている前記投写データを投写する投写部と、を備えることを特徴とするプロジェクター。
【請求項２】
アプリケーションプログラムを記憶する記憶部を更に備え、
前記認証部は、前記アプリケーションプログラムとして前記記憶部に記憶可能に構成されていることを特徴とする請求項１に記載のプロジェクター。
【請求項３】
前記投写データを編集するための入力操作を受け付ける入力部と、
前記入力操作に基づいて前記投写データを編集するデータ編集部と、を更に備え、
前記投写データ保存部は、前記認証情報と関連させて編集後の投写データを保存することを特徴とする請求項１又は２に記載のプロジェクター。
【請求項４】
前記投写データ保存部は、複数の認証情報と関連させて前記投写データを保存することと特徴とする請求項１〜３の何れかに記載のプロジェクター。
【請求項５】
投写終了時における投写データを、次回投写時に再投写させるための投写データ回復情報を保存する回復情報保存部を更に備え、
前記投写部は、次回投写時に前記投写データ回復情報を読み出して投写することを特徴とする請求項１〜４の何れかに記載のプロジェクター。
【請求項６】
認証情報と関連させて投写データを保存する保存ステップと、
前記認証情報に基づいてユーザー認証を行なう認証ステップと、
前記認証ステップにおいて認証が成功すると、投写データ保存部に保存されている前記投写データを投写する投写ステップと、を有することを特徴とするプロジェクターの制御方法。
【発明の詳細な説明】
【技術分野】
【０００１】
本発明は、プロジェクター及びプロジェクターの制御方法に関する。
【背景技術】
【０００２】
近年、プロジェクターは、講演や会議、学校の授業等において広く利用されている。プロジェクターは、通信可能に接続されたホストコンピューターにおいて専用のソフトウェアを実行することによって動作状態が制御される。したがって、ユーザーはプレゼンテーション等でプロジェクターを使用する場合には、使用場所にプロジェクターとホストコンピューターとをセットで持ち運ぶ必要があり、可搬性において不便なところがあった。
【０００３】
このため、投写ファイルを保存したメモリーカード等を、プロジェクターの端子に接続するだけで、投写処理を開始することができるプロジェクターが提案されている。これにより、パーソナルコンピューターを一緒に持ち運ぶ必要がなく、プロジェクターのみを携帯すればプレゼンテーション等を実施することが可能となっている。
【０００４】
ところが、メモリーカードをプロジェクターへ抜き差しする操作を伴うため、取り出したメモリーカードを紛失したり、盗難されたりする可能性があり、保存されている投写データが漏洩する虞がある。このため、投写データを安全に保管できるよう、投写データにパスワードをつけてプロジェクター内に保存し、パスワードで取りだすといったシステムが提案されている（例えば、特許文献１参照）。
【先行技術文献】
【特許文献】
【０００５】
【特許文献１】特開２００９−９０２８５号公報
【発明の概要】
【発明が解決しようとする課題】
【０００６】
特許文献１に記載のシステムは、プロジェクターに接続された外部記憶装置に投写ファイルが保存される。つまり、外部記憶装置に対して投写データを保存するには、ホストコンピューターによって行うことが前提である。投写データに追加や変更がある場合もホストコンピューターによって行なう必要がある。このため、プレゼンテーション中に投写データに追加や変更を行なう必要がある場合には、やはりプロジェクターとともにホストコンピューターを持ち運ばなければならない。
【０００７】
本発明は、上記課題を解決するためになされたものであって、ホストコンピューターを利用することなく、特定の者だけがプロジェクター内に保存された投写データにアクセスすることができ、且つ、ホストコンピューターを利用することなくその投写データに追加、変更を行なうことが可能なプロジェクター及びプロジェクターの制御方法を提供することを目的とする。
【課題を解決するための手段】
【０００８】
上記課題を解決することのできる本発明に係るプロジェクターは、認証情報と関連させて投写データを保存する投写データ保存部と、前記認証情報に基づいてユーザー認証を行なう認証部と、前記認証部による認証が成功すると、前記投写データ保存部に保存されている前記投写データを投写する投写部と、を備えることを特徴とする。
上記構成によれば、プロジェクターは、認証情報と関連させて投写データ保存部に投写データが保存され、ユーザー認証が成功するとその投写データを投写することができる。このため、外部記憶装置やホストコンピューター等を必要とすることなく、プロジェクター単体で投写データを安全に内部に保存することができる。このため、プロジェクターのみを持ち運ぶだけで、どこでも容易に投写処理を行うことができる。
【０００９】
また、本発明のプロジェクターにおいて、アプリケーションプログラムを記憶する記憶部を更に備え、前記認証部は、前記アプリケーションプログラムとして前記記憶部に記憶可能に構成されていることが好ましい。
上記構成によれば、認証部をアプリケーションプログラムとして記憶部に記憶させることができるので、ユーザーの使用環境に応じたユーザー認証システムを容易に導入することができる。例えば、認証装置のアップデートや方式の異なる認証装置の追加に伴い認証部の更新や切り替えが必要な場合でも、新たな認証装置に対応した認証アプリケーションを認証部として追加したり、既存の認証アプリケーションと入れ替えたりすることができる。このため、顧客の認証システム導入のためのコストを低減することができる。なお、本発明では「アプリケーション」を「アプリケーションプログラム」と同義の用語として使用する。
【００１０】
また、本発明のプロジェクターにおいて、前記投写データを編集するための入力操作を受け付ける入力部と、前記入力操作に基づいて前記投写データを編集するデータ編集部と、を更に備え、前記投写データ保存部は、前記認証情報と関連させて編集後の投写データを保存することが好ましい。
上記構成によれば、投写データを編集するための入力操作を受け付け、さらに編集後の投写データをプロジェクター内部の投写データ保存部に保存することができる。例えば、プレゼンテーション中に受け付けた入力操作によって、投写データ、すなわちプレゼンテーション資料に対する文字や図形の追加や文章やレイアウトの変更等の編集が行われた場合、その編集の結果を反映させた投写データを、認証情報に対応するユーザーだけがアクセス可能なように保存することができる。
【００１１】
また、本発明のプロジェクターにおいて、前記投写データ保存部は、複数の認証情報と関連させて前記投写データを保存することが好ましい。
上記構成によれば、複数の認証情報と関連させて投写データを保存することができるので、各認証情報に対応する複数のユーザーだけが投写データにアクセスすることができる。したがって、投写データを安全に保存しつつも、特定のユーザーの間では投写データに容易にアクセスすることを可能にすることができる。
【００１２】
また、本発明のプロジェクターにおいて、投写終了時における投写データを、次回投写時に再投写させるための投写データ回復情報を保存する回復情報保存部を更に備え、前記投写部は、次回投写時に前記投写データ回復情報を読み出して投写することが好ましい。
上記構成によれば、投写データ回復情報を保存することができるので、次回プロジェクターの電源をＯＮした場合には、投写データ回復情報に基づいて投写処理を行うことができ、前回の続きの投写画面から投写処理を開始することができる。
【００１３】
また、上記課題を解決することのできる本発明に係る表示装置の制御方法は、認証情報と関連させて投写データを保存する保存ステップと、前記認証情報に基づいてユーザー認証を行なう認証ステップと、前記認証ステップにおいて認証が成功すると、前記投写データを投写データ保存部から読み出して投写する投写ステップと、を有することを特徴とする。
上記構成によれば、投写データを認証情報と関連させて保存し、ユーザー認証が成功すると投写データを投写することができる。このため、外部メモリーやホストコンピューター等を必要とすることなく、プロジェクター単独で投写データを安全に内部に保存することができる。このため、プロジェクターのみを持ち運ぶだけで、どこでも容易に投写処理を行うことができる。
【図面の簡単な説明】
【００１４】
【図１】本実施形態のプロジェクターの内部構成を示すブロック図である。
【図２】本実施形態のプロジェクターのアプリケーション実行環境を説明するソフトウェア階層図である。
【図３】本実施形態のプロジェクターのユーザー認証機能及び編集機能を説明するためのブロック図である。
【図４】投写データ保存部に保存されている投写データの一例である。
【図５】投写データ保存部に保存されている投写ファイルの一例である。
【図６】回復情報保存部に保存されるデータ回復情報の一例である。
【図７】本実施形態のプロジェクターによるユーザー認証及びデータ編集処理を説明するためのフローチャートである。
【図８】ユーザーの認証画面の一例である。
【図９】投写ファイルを選択する画面の一例である。
【図１０】投写データに編集を行なったときの投写画面の一例である。
【図１１】複数のユーザーの認証を促す画面の一例である。
【発明を実施するための形態】
【００１５】
以下、本発明に係るプロジェクター及びプロジェクターの制御方法の好適な実施形態について、図面を参照して詳細に説明する。
【００１６】
図１は、本発明に係るプロジェクター１の概略構成を示す図である。図１に示すように、プロジェクター１は、制御部１０と、投写ユニット１１と、拡張スロット１２と、ネットワークカード１３と、フラッシュＲＯＭ１４、撮像ユニット４０とを有している。
【００１７】
制御部１０は、プロジェクター１の各部を中枢的に制御するものであり、演算処理プロセッサとしてのＣＰＵ１５と、このＣＰＵ１５により実行される制御プログラム（いわゆるファームウェア）が格納されるＲＯＭ１７と、ＣＰＵ１５のワークエリアとして機能して演算結果や各種データを一時的に格納するＲＡＭ１６とを有している。
【００１８】
投写ユニット１１は、例えば、放電発光型の光源ランプや、ＬＥＤ（Light Emitting Diode）等の固体発光素子等からなる光源と、光源から射出された光束を画像信号に基づいて変調して画像光を形成する光変調装置（例えば、液晶パネル、入射側偏光板および射出側偏光板を備えた液晶ライトバルブやマイクロミラーを用いたデバイス等）と、画像光を拡大投写する投写レンズ等と、を備えて構成されている。
【００１９】
拡張スロット１２は、プロジェクター１に内設され、当該プロジェクター１の機能を拡張するためのカード型の回路が挿脱されるソケットであり、この拡張スロット１２には、上記ネットワークカード１３が挿着されている。
【００２０】
ネットワークカード１３は、データ通信部１８と周辺機器接続部１９とを有し、建物内に敷設されたＬＡＮやインターネット等のネットワーク２を介して他のプロジェクターや通信端末（例えばコンテンツサーバー２０）とデータ通信する機能、および、周辺機器を接続する機能を有するものである。すなわち、上記データ通信部１８は、ＴＣＰ／ＩＰ等の所定の通信プロトコルに基づいて信号処理するネットワークコントローラー２１と、有線または無線にてネットワーク２に接続される通信Ｉ／Ｆ２２とを有して構成されている。また、周辺機器接続部１９は、周辺機器を接続するためのものであり、例えばＵＳＢ規格やＩＥＥＥ１３９４規格等の所定規格に準拠して信号処理を実行する接続Ｉ／Ｆコントローラー２３と、周辺装置との接続部たる複数（図示例では２つ）の接続コネクター２５を備えている。本実施形態では周辺装置として、認証装置９０やペンタブレットのような入力装置９１が接続される。
【００２１】
本発明の記憶部を構成するフラッシュＲＯＭ１４は、書き換え可能な不揮発性メモリーであり、各種のアプリケーションが格納されている。これらのアプリケーションは、例えばメモリーカード等の記録媒体２６に記録されて配布され、あるいは、ネットワーク２等の電気通信回線を通じて配布され、そして、このようにして配布されたアプリケーションがフラッシュＲＯＭ１４にインストール可能に構成されている。また、制御部１０のＲＯＭ１７に格納される制御プログラムもアプリケーションと同様に、記録媒体２６、あるいは、ネットワーク２等の電気通信回線を介して配布可能であり、このように配布された制御プログラムがＲＯＭ１７にインストール可能に構成されている。なお、ＲＯＭ１７を、ＥＥＰＲＯＭ（Electrically Erasable Programmable ROM）やＦｌａｓｈメモリーなど、電気的に書換え可能な不揮発性メモリーで構成する場合、フラッシュＲＯＭ１４と同様に本発明の記憶部として機能させることができる。
【００２２】
上記フラッシュＲＯＭ１４等に格納されるアプリケーションとしては、認証装置９０によるユーザー認証を行なうための認証アプリケーションや、プロジェクター１内部に認証情報と関連付けて保存されている投写データに追加や変更を加えて編集するための編集アプリケーション等がある。このアプリケーションの実行環境について図２を参照して説明する。
【００２３】
撮像ユニット４０は、撮像光学系、撮像素子および撮像制御回路等を有し、制御部１０からの指示に応じて、投写ユニット１１によって投写された投写画像を撮像する。
【００２４】
図２は、プロジェクター１のアプリケーション実行環境を示すソフトウェア概略構成図である。この図に示すように、プロジェクター１の制御部１０には、ＯＳプラットフォーム３０上にインタプリタ環境であるソフトウェアプラットフォーム３１が構成されている。ソフトウェアプラットフォーム３１は、Ｊａｖａ（登録商標）プラットフォームのランタイム環境として構成されており、インタプリタとしてのＪａｖａ（登録商標）ＶＭ（Ｊａｖａ（登録商標）仮想マシン）３２、ライブラリー３３およびフレームワーク群３４を備えて構成されている。Ｊａｖａ（登録商標）はサンマイクロシステムズ社の商標である。
ライブラリー３３は標準のＡＰＩライブラリーとプロジェクター１に専用のライブラリーを含んで構成されており、ＯＳプラットフォーム３０が提供する抽象化された各種コンピューター資源を、さらにソフトウェアプラットフォーム３１専用のモデルによって抽象化して、この上で動作するアプリケーションのための実行環境を提供する。
【００２５】
フレームワーク群３４はＯＳＧｉ（Open Service Gateway initiative）フレームワーク３４ａを含んで構成されており、このＯＳＧｉフレームワーク３４ａは単一のＪａｖａ（登録商標）ＶＭ３２上に複数のアプリケーションを動作させる。また、ＯＳＧｉフレームワーク３４ａは、アプリケーションのライフサイクルの管理やアプリケーション間通信機能などを提供する。このＯＳＧｉフレームワーク３４ａ上には、複数のシステムサービスがプリインストールされている。システムサービスには、新たなアプリケーションを追加したり更新したり削除したりするためのアプリケーション管理サービス等がある。
【００２６】
以下では、図２に示したアプリケーション実行環境において実行される、本実施形態における認証アプリケーション及びデータ編集アプリケーションが提供する機能について説明する。
【００２７】
＜ユーザー認証機能及びデータ編集機能について＞
次に、上述したアプリケーションが提供するユーザー認証機能及びデータ編集機能について、図３を参照して詳細に説明する。
図３に示すように、図２のアプリケーション実行環境によって各アプリケーションが実行されると、プロジェクター１内には、認証部５１、データ編集部５３が構成される。また、プロジェクター１のフラッシュＲＯＭ１４には、記憶部として、投写データ保存部５５、回復情報保存部５７が設定される。
【００２８】
認証部５１は、ユーザー毎に割り当てられている認証情報に基づいてユーザー認証を行なう。例えば、接触式あるいは非接触式ＩＣカードのリーダー／ライターや、指静脈を用いた生体認証装置などのユーザー認証装置９０が読み取った認証情報を、不図示のデバイスドライバーを通じて取得し、投写データと関連付けて保存されているユーザーの認証情報と一致するか否かによって認証を行なう。ユーザー認証装置９０のデバイスドライバーは、アプリケーションプログラムと同様に、記憶部としてのフラッシュＲＯＭ１４等に記憶される。
【００２９】
本発明における入力部として機能するデータ入力部５９は、入力装置９１から投写データを編集するための入力操作を受け付けると、その入力操作をデータ編集部５３に出力する。データ入力部５９は、ＣＰＵ１５によって実行されるソフトウェアであることが好ましいが、ハードウェアで実現することもできる。データ編集部５３は、データ入力部５９から入力された入力操作に基づいて投写データを編集する。例えば、投写ユニット１１による投写データの投写処理中に、ペンタブレット等の入力装置９１を使ってその投写データに追加や変更等の編集が行われた場合、その追加や変更を投写データに反映させる。そして、データ編集部５３は、編集後の投写データを投写データ保存部５５へ保存する。
【００３０】
また、データ編集部５３は、データ入力部５９を介して撮像ユニット４０から取得した撮像データに基づいて、ユーザーが行なった入力操作を分析し、結果を投写データに反映させることもできる。具体的には、投写ユニット１１による投写処理中に、レーザーポインターなどで投写画像上に文字や図形を編集する操作（入力操作）が行なわれると、投写画面上に描かれたレーザーポインターの輝点の軌跡が撮像ユニット４０によって撮像される。データ編集部５３は、データ入力部５９を介して取得した輝点の軌跡を投写データに反映させ、編集後の投写データを投写データ保存部５５へ保存する。ここで、レーザーポインターによる入力操作は、実際に文字や図形の形をレーザーポインターの輝点で描くアクションであってもよいし、投写画像を編集するために提供されるグラフィカルユーザーインターフェースに対するアクションであってもよい。グラフィカルユーザーインターフェースについては詳述しないが、簡単な図形の描画や消しゴムの機能を備えていることが望ましい。また、このようなグラフィカルユーザーインターフェースは、後述するデータ編集アプリケーションの機能の一部であることが好ましいが、データ編集アプリケーションと連携して動作する別のアプリケーションプログラムとしてグラフィカルユーザーインターフェースを実現してもよい。
【００３１】
投写データ保存部５５は、認証情報と関連させて投写データを保存する。投写データ保存部５５には、図４に示すように保存ファイル名と、そのファイルにアクセス可能なユーザーの認証情報とが関連されて保存されている。具体的には、ファイル名「００１．ｄａｔａ」の投写データにアクセス可能なユーザーの認証情報は、「ＵｓｅｒＸ，ＵｓｅｒＹ，ＵｓｅｒＺ」であり、ファイル名「００２．ｄａｔａ」の投写データにアクセス可能なユーザーの認証情報は、「ＵｓｅｒＸ」であることが分かる。
【００３２】
図５には、ファイル名「００１．ｄａｔａ」のファイル内容、ファイル名「００２．ｄａｔａ」のファイル内容を示している。このように、投写データ保存部５５にはユーザーの認証情報と関連させて投写データが保存されている。
【００３３】
回復情報保存部５７は、投写ユニット１１による投写終了時における投写データを、次回投写時に再投写させるための投写データ回復情報を保存する。データ編集部５３は、回復情報保存部５７にデータ回復情報が保存されていれば、そのデータ回復情報を読み出し、投写ユニット１１によって投写する。図６に示すデータ回復情報によれば、投写ユニット１１は、ファイル名「００１．ｄａｔａ」のデータ回復情報（２ページ目の投写データ）に基づいて投写し、以降はそのファイルの続きのページを投写する。
【００３４】
次に、本実施形態のプロジェクター１がユーザー認証を行い、投写データを編集する処理について図７のフローチャートにしたがい、図８〜図１１を参照しつつ説明する。
【００３５】
例えば、ユーザーＸは、プレゼンテーションを実施するにあたって、予めプロジェクター１内の投写データ保存部５５に、自己に割り当てられている認証情報と関連させて投写データを保存させておく。これは、図１に示したＰＣ２０などによりネットワーク２を介して行なわれる。
【００３６】
ユーザーＸは、プロジェクター１をプレゼンテーションを実施する会議室へ持ち込み、電源ＯＮして起動させる（ステップＳ１１）。このとき、ＰＣ２０との接続が維持されている必要はなく、ＰＣ２０を会議室へ持ち運ぶ必要はない。会議室へ持ち運ぶものは、プロジェクター１、周辺装置であるユーザー認証装置９０及び入力装置９１だけでよい。
【００３７】
プロジェクター１が起動すると、図２に示したＪａｖａ（登録商標）ＶＭ３２の上で、データ編集アプリケーションが起動し（ステップＳ１３）、さらに認証アプリケーションが起動する（ステップＳ１５）。認証アプリケーションが起動すると、図８に示す、ユーザーの認証情報の入力を促すメッセージを表示する。
【００３８】
次に、ユーザーＸは、ＩＣカードをユーザー認証装置９０にかざすと、ユーザー認証装置９０は、ＩＣカードからユーザーＸの認証情報「ＵｓｅｒＸ」を読み取るとともに、認証情報を読み取った旨を認証部５１に通知する。この通知を受け、認証部５１はユーザー認証装置９０から認証情報の取得を試みる。認証部５１は、認証情報を取得すると（ステップＳ１７：Ｙｅｓ）、データ編集部５３を介して投写データ保存部５５に保存されている投写データと関連付けられている認証情報を取得し、入力されたユーザーＸの認証情報「ＵｓｅｒＸ」と一致するかを判定する。一致する場合は、ユーザー認証に成功したものとして（ステップＳ１９：Ｙｅｓ）、データ編集部５３は回復情報保存部５７にデータ回復情報が保存されているか否かを判定する。認証部５１が取得した認証情報と、投写データと関連付けられて投写データ保存部に保存されている認証情報とが一致しない場合（ステップＳ１９：Ｎｏ）、正しい認証情報の入力を促す（ステップＳ１８）。
【００３９】
回復情報保存部５７にデータ回復情報が保存されていない場合は（ステップＳ２１：Ｎｏ）、データ編集部５３はユーザーＸの認証情報と関連する投写データを、投写データ保存部５５から読み出し、投写ユニット１１によって投写する（ステップＳ２３）。なお、図４に示すように、ユーザーＸの認証情報「ＵｓｅｒＸ」と関連付けられている保存ファイルは「００１．ｄａｔａ」及び「００２．ｄａｔａ」の２つである。このように、ユーザー認証情報と関連するファイルが複数ある場合は、図９に示すように投写ファイルを選択する画面を表示することができる。
【００４０】
図９では、ユーザーＸは「００１．ｄａｔａ」の投写ファイルを選択し、入力装置９１によって「ＯＫ」ボタンを選択すると、データ編集部５３は「００１．ｄａｔａ」の投写ファイルを投写データ保存部５５から読み出し、投写ユニット１１によって投写する。これにより、ユーザーＸはプレゼンテーションを開始する。
【００４１】
一方、回復情報保存部５７にデータ回復情報が保存されている場合は（ステップＳ２１：Ｙｅｓ）、データ編集部５３は、図６に示したようにファイル名「００１．ｄａｔａ」のデータ回復情報（２ページ目の投写データ）を読み出すことによって、前回の投写処理終了時の投写データを回復して投写ユニット１１によって投写する（ステップＳ２５）。これにより、ユーザーＸは前回プレゼンテーションを中断した時からの続きを行なうこともできる。
【００４２】
投写処理中に、入力装置９１あるいは撮像ユニット４０からの入力があると（ステップＳ２７：Ｙｅｓ）、データ編集部５３はデータ入力部５９を介して取得した入力操作に応じて投写データを編集する（ステップＳ２９）。例えばファイル名「００１．ｄａｔａ」の投写ファイルの投写中に、図１０に示すように投写画面の文字部分を丸で囲う入力操作７０があったとすると、データ編集部５３は、その丸の軌跡を元の投写データに反映させる。そして、反映後の投写データを保存するための保存操作の入力があると（ステップＳ３１：Ｙｅｓ）、投写ユニット１１は図１１に示すような関連付けしておきたい利用者の認証を促すメッセージを表示する。
【００４３】
プレゼンテーションに参加した他のユーザーの認証を行なう場合は、ユーザー認証装置９０に、ユーザーＸ以外の他のユーザーが携帯するＩＣカードをかざすと、認証部５１は同じ会議室にいるユーザーをリストアップし（ステップＳ３３）、追加したい認証情報の入力を受け付ける（ステップＳ３５）。
【００４４】
ユーザーＸがプレゼンテーションで、投写していたファイル名「００１．ｄａｔａ」の投写データ回復情報を保存する場合は、データ編集部５３が回復情報保存部５７へ保存する（ステップＳ３７）。さらに、データ編集部５３は、ユーザーＸの認証情報及びステップＳ３５において受け付けた追加の認証情報と関連させてファイル名「００１．ｄａｔａ」の投写ファイルを投写データ保存部５５へ再び保存して（ステップＳ３９）、投写処理を終了する。
【００４５】
このように本実施形態によれば、プロジェクター１は、ステップＳ１９でユーザー認証が成功すると、ステップＳ２３やステップＳ２５でユーザーの認証情報と関連させて保存されている投写データを投写する。このため、外部メモリーやホストコンピューター等を必要とすることなく、プロジェクター１単体で投写データを安全に内部に保存することができる。このため、プロジェクター１のみを持ち運ぶだけで、どこでも容易に投写処理を行うことができる。
【００４６】
また、本実施形態の認証部５１は、ＯＳＧｉフレームワーク３４ａにアプリケーションプログラムとして追加したり、削除することができる。このため、ユーザーの使用環境に応じたユーザー認証システムを容易に導入することができる。例えば、ユーザー認証装置９０を非接触式のＩＣカードを読み取るタイプのものから、指静脈を読み取るタイプや、指紋を読み取るタイプ、瞳の虹彩を読み取るタイプ（アイリス認証）などといった生体認証方式の装置に切り替えるような場合でも、新たな認証装置に対応したアプリケーションプログラムを認証部として追加することができる。このため、顧客の認証システム導入のためのコストを低減することができる。
【００４７】
また、ステップＳ２７において投写データを編集するための入力操作を受け付けると、ステップＳ３９において編集後の投写データをプロジェクター１内部の投写データ保存部５５に保存する。したがって、プレゼンテーション中に投写データに追加や変更等の編集を行なう入力操作があっても、その操作を反映させた投写データを保存することができる。
【００４８】
また、ステップＳ３５で追加したいユーザーの認証情報の入力を受け付け、複数の認証情報と関連させて投写データを保存することができる。このため、各認証情報に対応する複数のユーザーだけが投写データにアクセスすることができる。したがって、投写データを安全に保存しつつも、特定のユーザーの間では投写データに容易にアクセスすることを可能にすることができる。
【００４９】
さらに、ステップＳ３７において回復情報保存部５７に投写データ回復情報を保存することができるので、次回プロジェクター１の電源をＯＮした場合には、投写データ回復情報に基づいて投写処理を行うことができ、前回の続きの投写画面から投写処理を開始することができる。
【００５０】
なお、上記実施形態において、ソフトウェアプラットフォーム３１は、Ｊａｖａ（登録商標）プラットフォームのランタイム環境として構成されており、インタプリタとしてのＪａｖａ（登録商標）ＶＭ３２、ライブラリー３３およびフレームワーク群３４を備えて構成されているとしたが、発明はこれに限定されるものではない。すなわち、ＯＳＧｉフレームワーク３４ａと同等の機能を提供するフレームワークと、当該フレームワークがサポートするソフトウェア実行環境との組合せを、ソフトウェアプラットフォーム３１として採用することができる。
【００５１】
また、上記実施形態において、認証装置９０や入力装置９１を、接続コネクター２５を介して接続されるプロジェクター１の周辺装置として説明したが、発明はこれに限定されるものではない。例えば、プロジェクター１の筐体に、認証装置９０を備える実施形態も可能である。また、プロジェクター１の本体や図示しないリモートコントローラーの操作パネルを入力装置９１として利用する実施形態や、ペンタブレットまたはタッチパネルのような入力デバイスをプロジェクター１の本体あるいは図示しないリモートコントローラーに設け、入力装置９１として利用する実施形態も可能である。
【符号の説明】
【００５２】
１：プロジェクター、２：ネットワーク、１０：制御部、１１：投写ユニット、１２：拡張スロット、１３：ネットワークカード、１４：フラッシュＲＯＭ、１５：ＣＰＵ、１６：ＲＡＭ、１７：ＲＯＭ、１８：データ通信部、１９：周辺機器接続部、２０：ＰＣ、２１：ネットワークコントローラー、２２：通信Ｉ／Ｆ、２３：接続Ｉ／Ｆコントローラー、２５：接続コネクター、２６：記録媒体、３０：ＯＳプラットフォーム、３１：ソフトウェアプラットフォーム、３２：Ｊａｖａ（登録商標）ＶＭ、３３：ライブラリー、３４：フレームワーク群、３４ａ：ＯＳＧｉフレームワーク、４０：撮像ユニット、５１：認証部、５３：データ編集部、５５：投写データ保存部、５７：回復情報保存部、７０：入力操作、９０：ユーザー認証装置、９１：入力装置。
【図１】
2011107860.tif 000003
【図２】
2011107860.tif 000004
【図３】
2011107860.tif 000005
【図４】
2011107860.tif 000006
【図５】
2011107860.tif 000007
【図６】
2011107860.tif 000008
【図７】
2011107860.tif 000009
【図８】
2011107860.tif 000010
【図９】
2011107860.tif 000011
【図１０】
2011107860.tif 000012
【図１１】
2011107860.tif 000013